(57)【要約】      （修正有）【課題】シートに設けられた切込みに沿って帯状体を剥離することにより、隠蔽された情報を表出しにして、視覚的に情報を強調することが可能なシート状部材を提供する。【解決手段】シート状部材１００は、表面上に複数の切込み線１０１がシート状部材１００の長手方向に沿って設けられている。この切込み線１０１を設けることにより、一方向に向かってめくることが可能な開封帯状体１０２を形成することができる。この開封帯状体１０２は、一方の端部に摘んで引っ張ることができるつまみ部１０２ａを有する。【選択図】図２
0003151491.tif 000002
【実用新案登録請求の範囲】
【請求項１】
第１のシートと、前記第１のシートに接着層を介して貼着されるとともに断続した切込部が設けられる第２のシートとからなる開封構造であって、
前記第１のシートは所定の情報が印字される情報印字領域を有し、前記切込部を前記第２のシートから剥離することで、前記第１のシートの前記情報印字領域が表出しされることを特徴とする開封構造。
【請求項２】
前記切込部は、帯状に形成され、該帯状の一方の端部に第２のシートから剥離させるためのつまみ部を有することを特徴とする請求項１に記載の開封構造。
【請求項３】
前記切込部は、二条の断続した切り込みからなることを特徴とする請求項１に記載の開封構造。
【請求項４】
前記切込部は、文字形状の輪郭に沿って設けられることを特徴とする請求項１に記載の開封構造。
【請求項５】
前記切込部は、前記第１のシートの前記情報印字領域に対向する面に所定の情報が印字されていることを特徴とする請求項１に記載の開封構造。
【請求項６】
前記切込部は、略円形または略楕円形、多角形状の輪郭に沿って設けられていることを特徴とする請求項１に記載の開封構造。
【考案の詳細な説明】
【技術分野】
【０００１】
本考案は、開封構造に関し、特に、情報を視覚的に強調することができる開封構造に関する。
【背景技術】
【０００２】
従来、封緘された箱等（例えば菓子箱等）を開封するための開封構造として、特許文献１に示すように、開封用帯体を用いた帯状の開封構造がある。
【０００３】
この帯状の開封構造は、一方向に二列となって配された複数の切込線と、この二列の切込線間に挟まれ、複数の切込線が繋がることにより箱から分離される開封用帯体部とから構成される。
【０００４】
この複数の切込線はそれぞれ、切込線の配列に延びた辺部と、一端がこの辺部の一端に繋がり、他端が開封用帯側に向いた辺部とからなる構成である。そして、開封用帯体部の所定の端部を把持して一方向に向かって引っ張り、分離破断させ開封する。
【０００５】
この開封用帯体を用いた帯状の開封構造によれば、複数の切込線の配列方向に対して引っ張り、分離破断させることにより、紙むけ等を生じさせずに容易に開封用帯体部を分離させることができる。
【先行技術文献】
【特許文献】
【０００６】
【特許文献１】特開２００４−１７５３６６号公報
【考案の概要】
【考案が解決しようとする課題】
【０００７】
しかしながら、従来の開封構造によれば、以下のような問題があった。
即ち、従来の開封構造では、単に、切込線に沿って開封用帯体を分離させ開封させるだけであり、開封作業を行った後は無用のものとして破棄されるにしか過ぎなかった。換言すると、開封用帯体を分離した後にどのように情報を表示するかという工夫がなされていなかった。
【０００８】
本考案は、かかる問題に鑑みてなされたものであり、開封用の帯体等を分離した後に所定の情報を視覚的に強調することが可能な開封構造を提供することを目的とする。
【課題を解決するための手段】
【０００９】
本発明は、上記目的を達成するために、第１のシートと、前記第１のシートに接着層を介して貼着されるとともに断続した切込部が設けられる第２のシートとからなる開封構造であって、前記第１のシートは所定の情報が印字される情報印字領域を有し、前記切込部を前記第２のシートから剥離することで、前記第１のシートの前記情報印字領域が表出しされることを特徴とする開封構造を提供するものである。
【００１０】
以上の構成において、前記切込部は、帯状に形成され、該帯状の一方の端部に第２のシートからの剥離させるためのつまみ部を有することが望ましい。
【００１１】
また、前記切込部は、二条の断続した切り込みからなることが望ましい。
【００１２】
また、前記切込部は、文字形状の輪郭に沿って設けられることが望ましい。
【００１３】
また、前記切込部は、前記第１のシートの前記情報印字領域に対向する面に所定の情報が印字されていることが望ましい。
【００１４】
さらに、前記切込部は、略円形または略楕円形、多角形状の輪郭に沿って設けられていることが望ましい。
【考案の効果】
【００１５】
本考案の開封構造によれば、第１のシートと、前記第１のシートに接着層を介して貼着されるとともに断続した切込部が設けられる第２のシートとからなる開封構造であって、前記第１のシートは所定の情報が印字される情報印字領域を有し、前記切込部を前記第２のシートから剥離することで、前記第１のシートの前記情報印字領域が表出しにすることができるため、情報を視覚的に強調することができる。
【図面の簡単な説明】
【００１６】
【図１】図１（ａ）は、シート状部材の平面図であり、図１（ｂ）は、図１（ａ）に示すＡ−Ａ断面を示した図であり、図１（ｃ）は、シート状部材に設けられた開封帯状体が開封された状態を示した図である。
【図２】図２（ａ）は、第一シートに情報が印字されているシート状部材を示し、図２（ｂ）は、開封帯状体が開封された状態を示した図である。
【図３】幅広い開封帯状体１０２が設けられているシート状部材１００を示した図である。
【図４】図４（ａ）は、複数の開封帯状体３０２が設けられたシート状部材３００を示した図であり、図４（ｂ）は、開封帯状体３０２が設けられた見開きが可能なシート状部材を示した図である。
【図５】図５（ａ）は、第一のシートにハート形状の切込み線５０１が設けられたシート状部材を示した図であり、図５（ｂ）は、ハート形状の輪郭に沿って、第一のシートから開封帯状体５０２が剥離された状態を示した図である。
【図６】図６（ａ）は、文字形状の切込み線６０１が設けられたシート状部材６００を示した図であり、図６（ｂ）は、窓状の切込み線７０１が設けられたシート状部材７００を示した図である。
【考案を実施するための形態】
【００１７】
次に、図面を参照して、本考案の開封構造について説明する。
図１は、本考案の開封構造が適用されるシート状部材の構成を示した図であり、（ａ）は、そのシート状部材の平面図であり、（ｂ）は、Ａ−Ａ断面を示した図であり、（ｃ）は、シート状部材に設けられた開封帯状体が開封された状態を示した図である。
【００１８】
図１（ａ）に示すように、シート状部材１００は、表面上に複数の切込み線１０１がシート状部材１００の長手方向に沿って設けられている。この切込み線１０１を設けることにより、一方向に向かってめくることが可能な開封帯状体１０２を形成することができる。この開封帯状体１０２は、一方の端部に摘んで引っ張ることができるつまみ部１０２ａを有する。
【００１９】
このシート状部材１００は、図１（ｂ）に示すように、第２シート１０３と第１シート１０４とが接着層１０５を介して貼着されている。接着層１０５は、第２シート１０３に設けられている開封帯状体１０２の両側のみに設けられている。
なお、本実施形態では、第２シート１０３及び第１シート１０４の接着層１０５と接していない面を表面とし、これらの表面を印字領域とする。
【００２０】
そして、図１（ｃ）に示すように、開封帯状体１０２のつまみ部１０２ａをつまんで一方向に引っ張ると、開封帯状体１０２が第２シート１０３から分離し、第２シート１０３から剥離される。この時、開封帯状体１０２は、つまみ部１０２ａと対向する端部で第２シート１０３に保持された状態となっている。開封帯状体１０２が第２シート１０３から剥離されると、第１シート１０４の印字領域１０６及び開封帯状体１０２の裏面の印字領域１０７が表出しされる。
なお、開封帯状体１０２を第２シート１０３から剥離した後、端部で保持することなく分離させてもよい。
【００２１】
次に、図２を参照して、図１に示したシート状部材１００の使用方法について説明する。
図２に示すシート状部材１００は、名刺として使用した場合について示した図であり、（ａ）は、第２シート１０３に情報が印字されているシート状部材１００を示し、（ｂ）は、開封帯状体１０２が開封された状態を示した図である。
図２（ａ）に示すように、第２シート１０３の開封帯状体１０２の上下には、「会社名」と、「所属先」、「住所等」が印字されている。この状態で、開封帯状体１０２のつまみ部１０２ａをつまんで引っ張ると第１シート１０４の印字領域１０６に「名前」、「電話番号」、「メールアドレス」が表出しされ、開封帯状体１０２の裏面の印字領域１０７に「挨拶文」が表出しされる。このような構成の名刺の場合、受け取った側に対して視覚的な効果を与えることができる。
また、「名前」や「電話番号」を開封帯状体１０２の表面に印字し、第１シート１０４の印字領域１０６にキャラクター等を印字してもよい。
なお、以上では名刺の例で説明したが、これに限られるものではない。
【００２２】
次に、図３〜図６を参照して、シート状部材１００の他の構成について説明する。
図３は、幅広い開封帯状体２０２が設けられているシート状部材２００を示した図である。
図３に示すシート状部材２００は、図１に示したシート状部材１００に設けられている開封帯状体１０２の幅よりも広い幅を有する開封帯状体２０２を設けている。開封帯状体２０２の幅を広くすることで、多くの情報を第１シート２０４の表面と、開封帯状体２０２の裏面とに印字することができる。
【００２３】
図４（ａ）は、複数の開封帯状体３０２が設けられたシート状部材３００を示した図であり、図４（ｂ）は、開封帯状体３０２が設けられた見開きが可能なシート状部材４００を示した図である。
図４（ａ）に示すシート状部材３００は、複数の開封帯状体３０２がシート状部材３００の長手方向に沿って並べて設けられている。このように１枚のシート状部材３００に複数の開封帯状体３０２を設けることが可能である。また、図４（ａ）では、開封帯状体３０２の有するつまみ部３０２ａが同一方向に並べられているが、交互に並べるようにしてもよい。
【００２４】
図４（ｂ）に示すシート状部材４００は、見開きが可能なシート状部材４００であって、左右のシートに１つもしくは複数の開封帯状体４０２を設けることができる。このシート状部材４００の場合、例えば、メッセージカードや本等に応用することができる。
【００２５】
図５（ａ）は、第２シート５０３にハート形状の切込み線５０１が設けられたシート状部材を示した図であり、図５（ｂ）は、ハート形状の輪郭に沿って、第２シート５０３から切込部５０２が剥離された状態を示した図である。
図５（ａ）に示すように、ハート形状の切込部５０２は、底部近辺を除いたハート形状の輪郭に切込み線５０１を設けることによって形成される。なお、この切込部５０２はハート形状以外にも、円形や多角形といった形状でも良い。そして、図５（ｂ）に示すように、切込み線５０１に沿って第２シート５０３から切込部５０２を剥離させ、第１シート５０２に印字された情報を表出しにすることができる。
【００２６】
図６（ａ）は、文字形状の切込み線６０１が設けられたシート状部材６００を示した図であり、図６（ｂ）は、窓状の切込み線７０１が設けられたシート状部材７００を示した図である。
図６（ａ）に示すシート状部材６００は、文字形状の切込み線６０１を設けることで文字形状の切込部となる開封帯状体６０２が形成されており、例として、Ｘ形状の開封帯状体６０２が示されている。他に、Ｓ字形状やＬ字形状といった文字形状で第２シート６０３上に開封帯状体６０２を形成してもよい。図６（ｂ）に示すシート状部材７００は、第２シート７０３の中央に開封帯状体７０２が設けられている。この開封帯状体７０２は、切込み線７０１が第２シート７０３の略中央に窓状に設けられている。この場合、切込み線７０１が第２シート７０３の端部まで達していないため、開封帯状体７０２は、第２シート７０３から剥離しても第１のシートに保持されたままとなる。
【００２７】
また、図示しないが、他の構成として、第１シート１０４の表面に予め香水を吹き付けておき、開封帯状体１０２を開封すると、その香水の香りを発するといったようにしてもよい。さらに、第２シート１０３と第１シート１０４とを貼着させず、第１シート１０４の印字領域１０６にメッセージ等を印字した後に、貼着させることでオリジナルのメッセージカードを作成することができる。
【００２８】
以上の説明から、本考案の開封構造は、第２シートに設けられた開封帯状体を剥離することで、第１シートの印字領域に印字された情報を表出しすることができる。また、第２シートと予め情報を記録した第１シートを接着層を介して貼着させたシートに切込み線を設けることで、容易に開封構造を形成することができる。
【００２９】
この第１シートに印字される情報は、名前や住所などの個人情報、メッセージ、広告等であり、開封帯状体を開封させるといった行為をさせて情報を表示するため、その情報に対してより印象を強く与えることができる。
【産業上の利用可能性】
【００３０】
本考案は、以上に述べたように構成されているので、予め隠蔽しておきたい情報を第１シートに印字しておき、開封帯状体を開封することで情報を表出しにすることができる。これを利用して、例えば、名刺やメッセージカード、ダイレクトメール、書籍カバー、カレンダーといったものに適用することができ、受け取った側に開封帯状体を開封させるといった行為をさせることで、開封率を高めることができると共に、興味を持たせることができる。
【符号の説明】
【００３１】
１００、２００、３００、４００、５００、６００、７００    シート状部材
１０１、２０１、３０１、４０１、５０１、６０１、７０１    切込み線
１０２、２０２、３０２、４０２、５０２、６０２、７０２    開封帯状体
１０３、２０３、３０３、４０３、５０３、６０３、７０３    第２シート
１０４    第１シート
１０５    接着層
１０６、１０７    印字領域
【図１】
0003151491.tif 000003
【図２】
0003151491.tif 000004
【図３】
0003151491.tif 000005
【図４】
0003151491.tif 000006
【図５】
0003151491.tif 000007
【図６】
0003151491.tif 000008